(57)【要約】【課題】消費電力が増大した場合に、電力の供給を断つことが好ましくない機器の電源を遮断しないようにすることを課題とする。【解決手段】情報処理装置は、通信部と、操作受付部と、指示部と、設定部と、指示無効部とを有する。通信部は、機器の電源の投入及び遮断を制御する電源制御装置と通信する。指示部は、機器の電源の投入又は遮断に関するユーザ操作に応じて、電源の投入又は遮断を、通信部を介して電源制御装置に指示する。設定部は、遮断を不可とする電源を指定するユーザ操作に応じて、指定された電源の遮断を不可に設定する。指示無効部は、遮断を不可に設定された電源が、指示部による電源の遮断の指示対象である場合に、指示部による電源を遮断する指示を無効にする。【選択図】図４
2014240900.tif 000002
【特許請求の範囲】
【請求項１】
機器の電源の投入及び遮断を制御する電源制御装置と通信する通信部と、
ユーザ操作の入力を受け付ける操作受付部と、
前記機器の電源の投入又は遮断に関する前記ユーザ操作に応じて、電源の投入又は遮断を、前記通信部を介して前記電源制御装置に指示する指示部と、
遮断を不可とする電源を指定する前記ユーザ操作に応じて、指定された電源の遮断を不可に設定する設定部と、
遮断を不可に設定された電源が、前記指示部による電源の遮断の指示対象である場合に、前記指示部による電源を遮断する指示を無効にする指示無効部と
を有することを特徴とする情報処理装置。
【請求項２】
前記通信部を介して、前記機器の消費電力を取得する取得部と、
取得された前記機器の消費電力に関して、所定条件を満たしたか否かを判定する判定部と、をさらに有し、
前記設定部は、前記機器の消費電力が所定条件を満たしたと判定された場合に、所定条件を満たした前記機器に対応する電源の遮断に関する設定を変更することを特徴とする請求項１に記載の情報処理装置。
【請求項３】
前記判定部は、一定期間において、前記機器の消費電力の変化が予め定められた消費電力値以上であるか否かを判定し、
前記設定部は、前記機器の消費電力の変化が予め定められた消費電力値以上であると判定された場合に、前記機器に対応する電源の遮断を不可に設定することを特徴とする請求項２に記載の情報処理装置。
【請求項４】
前記判定部は、一定期間において、前記機器の消費電力の変化が予め定められた消費電力値未満であるか否かを判定し、
前記設定部は、前記機器の消費電力の変化が予め定められた消費電力値未満であると判定された場合に、前記機器に対応する電源の遮断を可に設定することを特徴とする請求項２又は３に記載の情報処理装置。
【請求項５】
前記判定部は、一定期間において、前記機器の消費電力の変化があるか否かを判定し、
前記設定部は、前記機器の消費電力の変化がないと判定された場合に、前記機器に対応する電源の遮断を可に設定することを特徴とする請求項２〜４の何れか一つに記載の情報処理装置。
【請求項６】
前記機器の電源の投入及び遮断は、前記情報処理装置とは異なる外部装置からも指示可能であって、
前記設定部による電源の遮断に関する設定を、前記通信部を介して前記電源制御装置に指示し、指示対象の電源の遮断に関する設定を反映させる設定反映部をさらに有することを特徴とする請求項１〜５の何れか一つに記載の情報処理装置。
【請求項７】
機器の電源の投入又は遮断に関するユーザ操作に応じて、電源の投入又は遮断を、前記機器の電源の投入及び遮断を制御する電源制御装置に指示する指示ステップと、
遮断を不可とする電源を指定するユーザ操作に応じて、指定された電源の遮断を不可に設定する設定ステップと、
遮断を不可に設定された電源が、前記指示ステップによる遮断の指示対象である場合に、前記指示ステップによる電源を遮断する指示を無効にする指示無効ステップと
をコンピュータに実行させるための電力管理プログラム。
【請求項８】
機器の電源の投入又は遮断に関するユーザ操作に応じて、電源の投入又は遮断を、前記機器の電源の投入及び遮断を制御する電源制御装置に指示する指示ステップと、
遮断を不可とする電源を指定するユーザ操作に応じて、指定された電源の遮断を不可に設定する設定ステップと、
遮断を不可に設定された電源が、前記指示ステップによる遮断の指示対象である場合に、前記指示ステップによる電源を遮断する指示を無効にする指示無効ステップと
を含むことを特徴とする電力管理方法。
【請求項９】
情報処理装置と電源制御装置とを有する電力管理システムであって、
前記情報処理装置は、
前記電源制御装置と通信する電源通信部と、
ユーザ操作の入力を受け付ける操作受付部と、
前記機器の電源の投入又は遮断に関する前記ユーザ操作に応じて、電源の投入又は遮断を、前記電源通信部を介して前記電源制御装置に指示する指示部と、
遮断を不可とする電源を指定する前記ユーザ操作に応じて、指定された電源の遮断を不可に設定する設定部と、
遮断を不可に設定された電源が、前記指示部による遮断の指示対象である場合に、前記指示部による電源を遮断する指示を無効にする指示無効部と、を有し、
前記電源制御装置は、
前記情報処理装置と通信する情報通信部と、
前記情報通信部を介して前記機器の電源の投入又は遮断に関する指示を受け付けた場合に、前記機器の電源の投入又は遮断を制御する電源制御部と
を有することを特徴とする電力管理システム。
【発明の詳細な説明】
【技術分野】
【０００１】
本発明は、情報処理装置、電力管理プログラム、電力管理方法及び電力管理システムに関する。
【背景技術】
【０００２】
従来、様々な機器の電力を管理する技術が知られている。例えば、特許文献１では、ブレーカが落ちることにより全ての機器の電源が遮断されるのを回避するために、予め定めた消費電力の上限値に達した場合に、警告メッセージを出力したり、機器の電源を遮断したりする技術が開示されている。
【発明の概要】
【発明が解決しようとする課題】
【０００３】
しかしながら、上述した従来技術は、電力の供給を断つことが好ましくない機器の電源を遮断してしまう可能性があるという問題がある。
【０００４】
本発明は、上記に鑑みてなされたものであって、電力の供給を断つことが好ましくない機器の電源を誤って遮断しないようにすることが可能である情報処理装置、電力管理プログラム、電力管理方法及び電力管理システムを提供することを目的とする。
【課題を解決するための手段】
【０００５】
上述した課題を解決し、目的を達成するため、本発明に係る情報処理装置は、機器の電源の投入及び遮断を制御する電源制御装置と通信する通信部と、ユーザ操作の入力を受け付ける操作受付部と、前記機器の電源の投入又は遮断に関する前記ユーザ操作に応じて、電源の投入又は遮断を、前記通信部を介して前記電源制御装置に指示する指示部と、遮断を不可とする電源を指定する前記ユーザ操作に応じて、指定された電源の遮断を不可に設定する設定部と、遮断を不可に設定された電源が、前記指示部による電源の遮断の指示対象である場合に、前記指示部による電源を遮断する指示を無効にする指示無効部とを有する。
【発明の効果】
【０００６】
本発明の一つの様態によれば、電力の供給を断つことが好ましくない機器の電源を誤って遮断しないようにすることができるという効果を奏する。
【図面の簡単な説明】
【０００７】
【図１】図１は、電力管理システムのハードウェア構成の例を示すブロック図である。
【図２】図２は、画像処理装置のソフトウェア構成の例を示す模式図である。
【図３】図３は、電力管理システムのシステム構成例を示す図である。
【図４】図４は、実施の形態１に係る画像処理装置及び電源制御装置の機能構成の例を示す図である。
【図５】図５は、瞬時での消費電力状況の表示画面例を示す図である。
【図６】図６は、電源の投入又は遮断を指示するための表示画面例を示す図である。
【図７】図７は、電源の遮断を不可にするための表示画面例を示す図である。
【図８】図８は、実施の形態１に係る電力管理処理の流れの例を示すフローチャートである。
【図９】図９は、実施の形態２に係る画像処理装置及び電源制御装置の機能構成の例を示す図である。
【図１０】図１０は、１日の消費電力量の推移の例を示す図である。
【図１１】図１１は、実施の形態２に係る電力管理処理の流れの例を示すフローチャートである。
【図１２】図１２は、実施の形態３に係る画像処理装置及び電源制御装置の機能構成の例を示す図である。
【図１３】図１３は、実施の形態３に係る電力管理処理の流れの例を示すフローチャートである。
【図１４】図１４は、実施の形態４に係る画像処理装置及び電源制御装置の機能構成の例を示す図である。
【図１５】図１５は、実施の形態４に係る電力管理処理の流れの例を示すフローチャートである。
【発明を実施するための形態】
【０００８】
以下に添付図面を参照して、本発明に係る情報処理装置、電力管理プログラム、電力管理方法及び電力管理システムの実施の形態を説明する。なお、以下の実施の形態により本発明が限定されるものではない。また、各実施の形態は、内容を矛盾させない範囲で、適宜組み合わせることができる。また、以下では、本発明に係る情報処理装置を、複合機（MFP：Multi  Function  Peripheral）等の画像処理装置に適用した場合を例に挙げて説明するが、これに限定されるものではない。なお、本発明に係る複合機とは、プリンタ機能、コピー機能、スキャナ機能及びファクシミリ機能のうち、少なくとも２つ以上の機能を有する装置である。
【０００９】
（実施の形態１）
［ハードウェア構成］
図１を用いて、電力管理システムのハードウェア構成について説明する。図１は、電力管理システムのハードウェア構成の例を示すブロック図である。
【００１０】
図１に示すように、電力管理システム１００は、画像処理装置１や電源制御装置等を有する。画像処理装置１は、ＬＡＮ（Local  Area  Network）やインターネット等のネットワーク４０を経由して電源制御装置やクライアント装置と接続されている。
【００１１】
画像処理装置１は、プリンタ機能、コピー機能、スキャナ機能、ファクシミリ機能等の各種の機能を実現可能な本体１０と、ユーザ操作に応じた入力を受け付ける操作部２０とを有する。本体１０と操作部２０とは、専用の通信路３００を介して相互に通信可能に接続されている。通信路３００は、例えば、ＵＳＢ（Universal  Serial  Bus）規格を用いることができるが、有線又は無線を問わず任意の規格であっても良い。
【００１２】
本体１０は、操作部２０によって受け付けられた入力に応じた動作を行なう。また、本体１０は、任意の外部装置と通信可能であり、外部装置から受信される指示に応じた動作を行なうこともできる。
【００１３】
また、本体１０は、システムバス１８に接続された、ＣＰＵ１１と、ＲＯＭ１２と、ＲＡＭ１３と、ＨＤＤ（Hard  Disk  Drive）１４と、通信Ｉ／Ｆ（Interface）１５と、接続Ｉ／Ｆ１６と、エンジン部１７とを有する。
【００１４】
ＣＰＵ１１は、本体１０の動作を統括的に制御する。ＣＰＵ１１は、ＲＡＭ１３をワークエリア（作業領域）として、ＲＯＭ１２又はＨＤＤ１４等に格納されたプログラムを実行することで、本体１０全体の動作を制御する。また、ＣＰＵ１１は、上述したプリンタ機能、コピー機能、スキャナ機能、ファクシミリ機能等の各種機能を実現する。
【００１５】
通信Ｉ／Ｆ１５は、外部装置と通信するためのインタフェースである。接続Ｉ／Ｆ１６は、通信路３００を介して、操作部２０と通信するためのインタフェースである。
【００１６】
エンジン部１７は、プリンタ機能、コピー機能、スキャナ機能、ファクシミリ機能等を実現させるための、汎用的な情報処理及び通信以外の処理を実行するハードウェアである。例えば、エンジン部１７は、原稿をスキャンして読み取るスキャナ、用紙等のシート材への印刷を行なうプロッタ、ファクス通信を行なうファクス部等を有する。さらに、エンジン部１７は、印刷済みシート材を仕分けるフィニッシャや、原稿を自動給送するＡＤＦ（自動原稿給送装置）のような特定のオプションを備えることもできる。
【００１７】
操作部２０は、システムバス２８に接続された、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７とを有する。
【００１８】
ＣＰＵ２１は、操作部２０の動作を統括的に制御する。ＣＰＵ２１は、ＲＡＭ２３をワークエリア（作業領域）として、ＲＯＭ２２又はフラッシュメモリ２４等に格納されたプログラムを実行することで、操作部２０全体の動作を制御する。また、ＣＰＵ２１は、ユーザ操作により受け付けられた入力に応じた情報（画像）を表示する等、各種機能を実現する。
【００１９】
通信Ｉ／Ｆ２５は、ネットワーク４０を介して電源制御装置やクライアント装置と通信するためのインタフェースである。接続Ｉ／Ｆ２６は、通信路３００を介して本体１０と通信するためのインタフェースである。
【００２０】
操作パネル２７は、ユーザ操作に応じた各種の入力を受け付けるとともに、各種の情報を表示する。例えば、各種の情報は、受け付けられた入力に応じた情報、画像処理装置１の動作状況を示す情報、設定状態を示す情報等が挙げられる。本実施の形態において、操作パネル２７は、タッチパネル機能を搭載した液晶表示装置（LCD：Liquid  Crystal  Display）により構成されるものとするが、これに限られるものではない。例えば、操作パネル２７は、タッチパネル機能が搭載された有機ＥＬ（Electro  Luminescence）表示装置により構成されても良い。さらに、これに加えて又はこれに代えて、ハードウェアキー等の操作部やランプ等の表示部を設けることもできる。
【００２１】
［ソフトウェア構成］
次に、図２を用いて、画像処理装置１のソフトウェア構成について説明する。図２は、画像処理装置１のソフトウェア構成の例を示す模式図である。
【００２２】
図２に示すように、本体１０は、アプリ層１０１と、サービス層１０２と、ＯＳ（Operating  System）層１０３とを有する。アプリ層１０１、サービス層１０２及びＯＳ層１０３の実体は、ＲＯＭ１２やＨＤＤ１４等に格納されている各種ソフトウェアである。ＣＰＵ１１が、これらのソフトウェアを実行することにより、各種機能が提供される。
【００２３】
アプリ層１０１のソフトウェアは、ハードウェア資源を動作させて所定の機能を提供するためのアプリケーションソフトウェア（以下、「アプリ」と呼ぶ場合がある）である。例えば、アプリとしては、コピー機能を提供するためのコピーアプリ、スキャナ機能を提供するためのスキャナアプリ、ファクス機能を提供するためのファクスアプリ、プリンタ機能を提供するためのプリンタアプリ等が挙げられる。
【００２４】
サービス層１０２のソフトウェアは、アプリ層１０１とＯＳ層１０３との間に介在し、アプリに対し、本体１０が備えるハードウェア資源を利用するためのインタフェースを提供するためのソフトウェアである。より具体的には、かかるソフトウェアは、ハードウェア資源に対する動作要求の受け付けや、動作要求の調停を行なう機能を提供するためのソフトウェアである。サービス層１０２によって受け付けられる動作要求としては、スキャナによる読み取りやプロッタによる印刷等の要求が挙げられる。
【００２５】
サービス層１０２によるインタフェースの機能は、本体１０のアプリ層１０１だけではなく、操作部２０のアプリ層２０１に対しても提供される。すなわち、操作部２０のアプリ層２０１も、サービス層１０２のインタフェース機能を介して、本体１０のハードウェア資源（例えば、エンジン部１７等）を利用した機能を実現することができる。
【００２６】
ＯＳ層１０３のソフトウェアは、本体１０が備えるハードウェアを制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリの要求に従った動作を行なう。
【００２７】
操作部２０は、アプリ層２０１と、サービス層２０２と、ＯＳ層２０３とを有する。操作部２０が備えるアプリ層２０１、サービス層２０２及びＯＳ層２０３の階層構造については、本体１０側と同様である。但し、アプリ層２０１のアプリにより提供される機能や、サービス層２０２が受け付け可能な動作要求の種類は、本体１０側とは異なる。アプリ層２０１のアプリは、操作部２０が備えるハードウェア資源を動作させて所定の機能を提供するためのソフトウェアである。加えて、アプリ層２０１のアプリは、本体１０が備える機能（プリンタ機能、コピー機能、スキャナ機能、ファクシミリ機能）に関する操作や表示を行なうためのＵＩ（User  Interface）の機能を提供するためのソフトウェアである。
【００２８】
本実施の形態では、機能の独立性を保つために、本体１０側のＯＳ層１０３のソフトウェアと、操作部２０側のＯＳ層２０３のソフトウェアとが互いに異なる場合を例に挙げる。つまり、本体１０と操作部２０とは、異なるオペレーティングシステムで互いに独立して動作する。例えば、本体１０側のＯＳ層１０３のソフトウェアとしてはＬｉｎｕｘ（登録商標）を採用し、操作部２０側のＯＳ層２０３のソフトウェアとしてはＡｎｄｒｏｉｄ（登録商標）を採用することが可能である。
【００２９】
上述したように、本実施の形態に係る画像処理装置１において、本体１０と操作部２０とは、異なるオペレーティングシステムで動作するため、本体１０と操作部２０との間の通信は、共通の装置内のプロセス間通信ではなく、異なる装置間の通信として行なわれる。例えば、操作部２０によって受け付けられた入力（ユーザ操作による指示内容）を本体１０に伝達する動作（コマンド通信）や、本体１０が操作部２０にイベントを通知する動作等は、異なる装置間の通信として行なわれる。これにより、操作部２０は、本体１０にコマンド通信を行なうことにより、本体１０の機能を利用することができる。なお、本体１０から操作部２０に通知されるイベントには、本体１０における動作の実行状況や、本体１０側で設定された内容等が挙げられる。
【００３０】
また、本実施の形態では、操作部２０に対する電力供給は、通信路３００を経由し、本体１０から行なわれる。このため、操作部２０の電源制御は、本体１０の電源制御とは別に（独立して）行なうことができる。
【００３１】
［システム構成］
次に、図３を用いて、電力管理システム１００のシステム構成について説明する。図３は、電力管理システム１００のシステム構成例を示す図である。
【００３２】
図３に示すように、電力管理システム１００は、画像処理装置１と、電源制御装置３０と、クライアント装置５０と、通信装置６０と、通信装置７０と、電気機器８０ａ〜電気機器８０ｄとを有する。
【００３３】
これらのうち、画像処理装置１、クライアント装置５０及び通信装置６０の間のネットワーク４０はＬＡＮ等のネットワークにより実現される。また、通信装置６０と通信装置７０との間のネットワーク４０は、無線通信であっても良いし有線通信であっても良い。また、通信装置６０は親機であり、子機である複数の通信装置７０に接続される。複数の通信装置７０が配設される場合には、配設される数に応じて、電源制御装置３０や電気機器８０ａ〜電気機器８０ｄの数も変化する。
【００３４】
また、画像処理装置１は、電力管理アプリを搭載したＭＦＰであり、該電力管理アプリの実行により、電源制御装置３０を介して各電気機器の電源を制御する。クライアント装置５０は、ＰＣ（Personal  Computer）等であり、ブラウザを利用して、各電気機器の電源を制御する。詳細については後述するが、クライアント装置５０による各電気機器の電源の制御は、画像処理装置１を介して行なわれる場合と、画像処理装置１を介さずに行なわれる場合とがある。
【００３５】
通信装置６０及び通信装置７０は、画像処理装置１と電源制御装置３０との間の通信や、クライアント装置５０と電源制御装置３０との間の通信を実現するためのものである。電力を管理する電気機器の数に応じて、子機である通信装置７０の数も変化するが、電気機器の数が少ないのであれば、子機である通信装置７０を設けなくても良い。電源制御装置３０は、コンセントタップであり、各電気機器の電源制御を実行する。すなわち、コンセントタップである電源制御装置３０は、複数の電気機器に電力を供給するためのタップを有し、タップに電気機器を接続することができる。電気機器８０ａ〜電気機器８０ｄは、電力の供給を受け付ける機器である。電気機器の数は任意である。
【００３６】
［実施の形態１に係る機能構成］
次に、図４を用いて、実施の形態１に係る画像処理装置１及び電源制御装置３０の機能について説明する。図４は、実施の形態１に係る画像処理装置１及び電源制御装置３０の機能構成の例を示す図である。なお、実施の形態１において、クライアント装置５０による各電気機器の電源の制御は、画像処理装置１を介して行なわれるものとする。
【００３７】
図４に示すように、操作部２０は、通信部２１０と、操作表示部２２０と、取得部２３０と、指示部２４０と、設定部２５０と、指示無効部２６０とを有する。上記各部については、これらの一部又は全部がソフトウェア（プログラム）、ハードウェア回路であっても良い。
【００３８】
通信部２１０は、ネットワーク４０に接続された電源制御装置３０と通信する。より具体的には、通信部２１０は、電源制御装置３０と通信し、各電気機器の電源を制御するための情報や、通電状況、各電気機器の電力消費量の情報等を送受する。
【００３９】
操作表示部２２０は、各種情報を表示し、ユーザ操作の入力を受け付ける。より具体的には、操作表示部２２０は、各電気機器の電源を制御するための画像や、各電気機器の電力消費量を含む画像等を表示する。また、操作表示部２２０は、電気機器の電源の投入又は遮断に関するユーザ操作や、遮断を不可とする電源を指定するユーザ操作、消費電力量を取得するためのユーザ操作等の入力を受け付ける。
【００４０】
取得部２３０は、通信部２１０を介して、電気機器の消費電力の情報を取得する。より具体的には、取得部２３０は、通信部２１０を介して、各電気機器の消費電力量を電源制御装置３０から取得する。また、取得部２３０は、電源制御装置３０の電源の通電状況を取得する。消費電力量の取得は、定期的に実行しても良いし、操作表示部２２０において消費電力量を取得するためのユーザ操作が行なわれた場合に実行しても良い。なお、取得された消費電力量は、メモリに蓄積されたり、操作表示部２２０に表示するための情報として利用されたりする。
【００４１】
図５は、瞬時での消費電力状況の表示画面例を示す図である。図５に示すように、各電源制御装置には、「コンセント＃１」や「コンセント＃２」等の識別情報が定められている。また、各電源制御装置のタップには、「タップ＃１」や「タップ＃２」等の識別情報が定められている。かかる表示画面では、コンセントの識別情報及びタップの識別情報に対応する電気機器の消費電力が表示される。例を挙げると、「コンセント＃１」の「タップ＃１」に接続された電気機器の消費電力は「１００Ｗ」であり、「コンセント＃１」の「タップ＃２」に接続された電気機器の消費電力は「５０Ｗ」である。また、「コンセント＃１」の「タップ＃３」及び「タップ＃５」は、電源が遮断されている、若しくは電気機器が接続されていないため、消費電力「０Ｗ」である。また、表示画面では、「最新取得」ボタンが配置されている。「最新取得」ボタンは、最新の消費電力状況に更新するために押下されるボタンである。「最新取得」ボタンがユーザ操作により押下された場合には、取得部２３０によって各電気機器の消費電力量が取得され、取得された消費電力量が表示されることになる。
【００４２】
指示部２４０は、通信部２１０を介して、電源の投入又は遮断を電源制御装置３０に指示する。より具体的には、指示部２４０は、操作表示部２２０によって電源の投入又は遮断に関するユーザ操作が受け付けられた場合に、指定された電源の投入又は遮断を、通信部２１０を介して電源制御装置３０に指示する。
【００４３】
図６は、電源の投入又は遮断を指示するための表示画面例を示す図である。図６に示すように、かかる表示画面では、コンセントの識別情報及びタップの識別情報に対応する電気機器の通電状況が表示される。例を挙げると、「コンセント＃１」の「タップ＃１」は「通電中（オン）」であり、「コンセント＃１」の「タップ＃３」は「遮断中（オフ）」である。また、表示画面では、「最新取得」ボタンが配置されている。「最新取得」ボタンは、最新の通電状況に更新するために押下されるボタンである。「最新取得」ボタンがユーザ操作により押下された場合には、取得部２３０によって各電源制御装置の通電状況が取得され、取得された通電状況が表示されることになる。
【００４４】
また、図６に示す表示画面では、各電気機器の電源を制御することができる。例えば、「通電中（オン）」と表示された画像がユーザ操作により押下された場合には、指示部２４０によって対応する電源の遮断指示が実行されるとともに、表示画面が「遮断中（オフ）」に更新される。一方、「遮断中（オフ）」と表示された画像がユーザ操作により押下された場合には、指示部２４０によって対応する電源の投入指示が実行されるとともに、表示画面が「通電中（オン）」に更新される。
【００４５】
設定部２５０は、電源の遮断を不可に設定する。より具体的には、設定部２５０は、操作表示部２２０によって遮断を不可とする電源を指定するユーザ操作が受け付けられた場合に、指定された電源の遮断を不可に設定する。電源の遮断の可・不可に関する設定情報は、メモリに記録される。
【００４６】
図７は、電源の遮断を不可にするための表示画面例を示す図である。図７に示すように、かかる表示画面では、コンセントの識別情報及びタップの識別情報に対応する電気機器の通電状況や、電源の遮断を不可とする情報が表示される。例を挙げると、「コンセント＃１」の「タップ＃１」は、「通電中（オン）」であるとともに、電源の遮断が「不可」となっている。すなわち、「コンセント＃１」の「タップ＃１」に接続されている電気機器の電源を遮断することは禁止されている。ユーザは、電源の遮断を不可にしたい場合に、対応するボタンを長押ししたり、対応するボタンの押下後に表示されるメニュー等から遮断を不可にする項目を選択したりする。これにより、操作表示部２２０は遮断を不可とする電源を指定するユーザ操作として受け付け、設定部２５０は指定された電源の遮断を不可に設定する情報をメモリに記録する。電源の遮断を不可に設定されたボタン以外については、図６で説明したように、電源を制御することができる。また、「最新取得」ボタンは、図６で説明した用途と同様のものである。
【００４７】
指示無効部２６０は、遮断を不可に設定された電源に対する遮断指示を無効にする。より具体的には、指示無効部２６０は、設定部２５０によって遮断を不可に設定された電源が、指示部２４０による遮断の指示対象である場合に、該指示部２４０による電源を遮断する指示を無効にする。例を挙げると、指示無効部２６０は、図７に示した表示画面において、「コンセント＃１」の「タップ＃１」の電源を遮断するユーザ操作が行なわれた場合に、指示部２４０による電源の遮断指示を無効とする。すなわち、電源を遮断するユーザ操作が行なわれた場合に、指示部２４０は電源の遮断指示を実行しようとするが、この遮断指示は指示無効部２６０によって無効になる。このとき、操作表示部２２０は、表示画面上において、電源の遮断が不可である旨のメッセージを表示しても良い。
【００４８】
電源制御装置３０は、通信部３１０と、電源制御部３２０とを有する。通信部３１０は、ネットワーク４０に接続された画像処理装置１と通信する。より具体的には、通信部３１０は、画像処理装置１と通信し、各電気機器の電力消費量の情報や、通電状況、各電気機器の電源を制御するための情報等を送受する。上述したように、各電気機器の電力消費量の情報や通電状況は、定期的に送信されたり、要求に応じて送信されたりする。電源制御部３２０は、電気機器の電源の投入又は遮断を制御する。より具体的には、電源制御部３２０は、通信部３１０を介して電源の投入又は遮断に関する指示を画像処理装置１から受け付けた場合に、対応するコンセントのタップの電源の投入又は遮断を制御する。
【００４９】
［実施の形態１に係る電力管理処理フロー］
次に、図８を用いて、実施の形態１に係る電力管理処理の流れについて説明する。図８は、実施の形態１に係る電力管理処理の流れの例を示すフローチャートである。
【００５０】
図８に示すように、操作表示部２２０によって遮断を不可とする電源を指定するユーザ操作を受け付けたか否かを判定する（ステップＳ１０１）。このとき、操作表示部２２０によってユーザ操作が受け付けられた場合に（ステップＳ１０１：Ｙｅｓ）、設定部２５０は、指定された電源の遮断を不可に設定する（ステップＳ１０２）。一方、操作表示部２２０は、遮断を不可とする電源を指定するユーザ操作を受け付けていない場合には（ステップＳ１０１：Ｎｏ）、ステップＳ１０３の処理を実行する。
【００５１】
そして、操作表示部２２０は、電源を投入する、又は遮断するユーザ操作を受け付けたか否かを判定する（ステップＳ１０３）。ここで、操作表示部２２０は、電源の投入又は遮断のためのユーザ操作を受け付けた場合に（ステップＳ１０３：Ｙｅｓ）、電源を遮断するためのユーザ操作であるか否かを判定する（ステップＳ１０４）。一方、操作表示部２２０によって電源の投入又は遮断のためのユーザ操作が受け付けられていない場合には（ステップＳ１０３：Ｎｏ）、ステップＳ１０１の処理が再度実行される。
【００５２】
操作表示部２２０によって電源を遮断するためのユーザ操作が受け付けられた場合に（ステップＳ１０４：Ｙｅｓ）、指示無効部２６０は、設定部２５０によって遮断を不可に設定された電源が遮断対象であるか否かを判定する（ステップＳ１０５）。このとき、指示無効部２６０は、遮断を不可に設定された電源が遮断対象である場合に（ステップＳ１０５：Ｙｅｓ）、指示部２４０による電源を遮断する指示を無効にする（ステップＳ１０６）。
【００５３】
また、操作表示部２２０によって電源を投入するためのユーザ操作が受け付けられた場合に（ステップＳ１０４：Ｎｏ）、指示部２４０は、通信部２１０を介して、電源の投入を電源制御装置３０に対して指示する（ステップＳ１０７）。また、指示無効部２６０によって遮断が可に設定された電源が遮断対象であると判定された場合に（ステップＳ１０５：Ｎｏ）、指示部２４０は、通信部２１０を介して、電源の遮断を電源制御装置３０に対して指示する（ステップＳ１０８）。
【００５４】
［実施の形態１による効果］
画像処理装置１は、ユーザ操作に応じて電源の遮断を不可に設定し、電源を遮断するユーザ操作を受け付けて、対象となる電源の遮断が不可に設定されている場合に、電源を遮断するユーザ操作に対する電源の遮断指示を無効にする。この結果、画像処理装置１は、電力の供給を断つことが好ましくない機器の電源を誤って遮断しないようにすることができる。
【００５５】
（実施の形態２）
上記実施の形態１では、電源の遮断を不可にするためのユーザ操作をもとに対応する電源の遮断を不可に設定する場合を説明した。実施の形態２では、各電源における消費電力量をもとに電源の遮断に関する設定を変更する場合を説明する。
【００５６】
［実施の形態２に係る機能構成］
図９を用いて、実施の形態２に係る画像処理装置及び電源制御装置の機能について説明する。図９は、実施の形態２に係る画像処理装置及び電源制御装置の機能構成の例を示す図である。実施の形態２では、実施の形態１と同様の構成については同一の符号を付し、同様の構成については詳細な説明を省略する場合がある。具体的には、以下に示す設定部２５０ａ、判定部２７０ａ以外の機能及び構成、処理は実施の形態１と同様である。
【００５７】
図９に示すように、画像処理装置１ａの操作部２０ａは、通信部２１０と、操作表示部２２０と、取得部２３０と、指示部２４０と、設定部２５０ａと、指示無効部２６０と、判定部２７０ａとを有する。
【００５８】
判定部２７０ａは、電気機器の消費電力が所定条件を満たしたか否かを判定する。より具体的には、判定部２７０ａは、取得部２３０によって取得された各電源に接続された電気機器の消費電力量の推移をもとに、一定期間において、消費電力の変化が所定消費電力値以上であるか否かを判定する。例えば、一定期間は、１日とする。また、例えば、所定消費電力値は、５０Ｗとする。すなわち、判定部２７０ａは、１日分の消費電力量の推移から、消費電力の変化が５０Ｗ以上となっているか否かを判定する。
【００５９】
図１０は、１日の消費電力量の推移の例を示す図である。図１０では、ある日の０：００〜２３：００における消費電力量の推移が表されている。また、コンセント＃１には、９：００〜２１：００で主に利用される蛍光灯が接続される。また、コンセント＃２には、必要なタイミングで利用されるＭＦＰが接続される。図１０に示すように、判定部２７０ａは、コンセント＃１の消費電力量の推移を解析し、消費電力の変化が最大となる９：００の２０Ｗ（０Ｗから２０Ｗに推移）が、５０Ｗ以上となっているか否かを判定する。同様に、判定部２７０ａは、コンセント＃２の消費電力量の推移を解析し、消費電力の変化が最大となる９：００の９０Ｗ（１０Ｗから１００Ｗに推移）が、５０Ｗ以上となっているか否かを判定する。これらから、判定部２７０ａは、コンセント＃１に対しては所定消費電力値未満であるとの判定結果を出力し、コンセント＃２に対しては所定消費電力値以上であるとの判定結果を出力する。
【００６０】
設定部２５０ａは、判定部２７０ａによって出力された判定結果に応じて、電気機器に対応する電源の遮断に関する設定を変更する。より具体的には、設定部２５０ａは、判定部２７０ａによって出力された、各コンセントにおける消費電力が所定消費電力値以上であるか否かの判定結果を受け付ける。そして、設定部２５０ａは、消費電力が所定消費電力値以上であるコンセントの電源の遮断を不可に設定する。また、設定部２５０ａは、消費電力が所定消費電力値未満であるコンセントの電源の遮断を可に設定する。なお、設定部２５０ａによる設定に応じて表示画面が更新される。
【００６１】
［実施の形態２に係る電力管理処理フロー］
次に、図１１を用いて、実施の形態２に係る電力管理処理の流れについて説明する。図１１は、実施の形態２に係る電力管理処理の流れの例を示すフローチャートである。なお、実施の形態１に係る電力管理処理の流れと同様のステップについては、説明を省略する。具体的には、ステップＳ２０１及びステップＳ２０２は、ステップＳ１０１及びステップＳ１０２における処理と同様である。また、ステップＳ２０５〜ステップＳ２１０は、ステップＳ１０３〜ステップＳ１０８における処理と同様である。
【００６２】
図１１に示すように、判定部２７０ａは、取得部２３０によって取得された各電源に接続された電気機器の消費電力の変化が所定消費電力値以上であるか否かを判定する（ステップＳ２０３）。このとき、判定部２７０ａによって所定消費電力値以上であると判定された場合に（ステップＳ２０３：Ｙｅｓ）、設定部２５０ａは、対応する電源の遮断を不可に設定する（ステップＳ２０４）。一方、判定部２７０ａによって所定消費電力値未満であると判定された場合に（ステップＳ２０３：Ｎｏ）、設定部２５０ａは、対応する電源の遮断を可に設定する。この後、ステップＳ２０５における処理が実行される。
【００６３】
［実施の形態２による効果］
画像処理装置１ａは、一定期間において、電源に接続された電気機器の消費電力の変化が所定消費電力値以上である場合に、対応する電源の遮断を不可に設定する。この結果、画像処理装置１ａは、一時的に多くの電力を要する電気機器について、電源を遮断させないように設定するので、電力の供給を断つことが好ましくない機器の電源を誤って遮断しないようにすることができる。
【００６４】
（実施の形態３）
上記実施の形態２では、１日での消費電力量の推移において、所定消費電力値以上である時間が存在するときに、電源の遮断に関する設定を変更する場合を説明した。実施の形態３では、一定期間における消費電力量の変化があるか否かに応じて、電源の遮断に関する設定を変更する場合を説明する。
【００６５】
［実施の形態３に係る機能構成］
図１２を用いて、実施の形態３に係る画像処理装置及び電源制御装置の機能について説明する。図１２は、実施の形態３に係る画像処理装置及び電源制御装置の機能構成の例を示す図である。実施の形態３では、実施の形態１と同様の構成については同一の符号を付し、同様の構成については詳細な説明を省略する場合がある。具体的には、以下に示す設定部２５０ｂ、判定部２７０ｂ以外の機能及び構成、処理は実施の形態１と同様である。
【００６６】
図１２に示すように、画像処理装置１ｂの操作部２０ｂは、通信部２１０と、操作表示部２２０と、取得部２３０と、指示部２４０と、設定部２５０ｂと、指示無効部２６０と、判定部２７０ｂとを有する。なお、実施の形態３では、電源の遮断に関する設定が不可となっている場合を例に挙げる。
【００６７】
判定部２７０ｂは、電気機器の消費電力が所定条件を満たしたか否かを判定する。より具体的には、判定部２７０ｂは、取得部２３０によって取得された各電源に接続された電気機器の消費電力量の推移をもとに、一定期間において、消費電力の変化があるか否かを判定する。例えば、一定期間は、３日とする。すなわち、判定部２７０ｂは、３日分の消費電力量の推移から、消費電力の変化があるか否かを判定する。そして、判定部２７０ｂは、消費電力の変化があるといった判定結果、若しくは消費電力の変化がないといった判定結果を出力する。
【００６８】
設定部２５０ｂは、判定部２７０ｂによって出力された判定結果に応じて、電気機器に対応する電源の遮断に関する設定を変更する。より具体的には、設定部２５０ｂは、判定部２７０ｂによって出力された、各コンセントにおける消費電力に変化があるか否かの判定結果を受け付ける。そして、設定部２５０ｂは、消費電力に変化がないコンセントの電源の遮断を可に設定する。一方、設定部２５０ｂは、消費電力に変化があるコンセントの電源の遮断に関する設定については変更しない。なお、設定部２５０ｂによる設定に応じて表示画面が更新される。
【００６９】
［実施の形態３に係る電力管理処理フロー］
次に、図１３を用いて、実施の形態３に係る電力管理処理の流れについて説明する。図１３は、実施の形態３に係る電力管理処理の流れの例を示すフローチャートである。なお、実施の形態１に係る電力管理処理の流れと同様のステップについては、説明を省略する。具体的には、ステップＳ３０１及びステップＳ３０２は、ステップＳ１０１及びステップＳ１０２における処理と同様である。また、ステップＳ３０５〜ステップＳ３１０は、ステップＳ１０３〜ステップＳ１０８における処理と同様である。
【００７０】
図１３に示すように、判定部２７０ｂは、取得部２３０によって取得された各電源に接続された電気機器の消費電力の変化があるか否かを判定する（ステップＳ３０３）。このとき、判定部２７０ｂによって消費電力の変化がないと判定された場合に（ステップＳ３０３：Ｙｅｓ）、設定部２５０ｂは、対応する電源の遮断を可に設定する（ステップＳ３０４）。一方、判定部２７０ｂによって消費電力の変化があると判定された場合には（ステップＳ３０３：Ｎｏ）、ステップＳ３０５における処理が実行される。
【００７１】
［実施の形態３による効果］
画像処理装置１ｂは、一定期間において、電源に接続された電気機器の消費電力の変化がない場合に、対応する電源の遮断を可に設定する。この結果、画像処理装置１ｂは、電力を必要としていない電気機器が接続された電源の遮断を可とするので、省電力を実現するとともに、電力の供給を断つことが好ましくない機器の電源を誤って遮断しないようにすることができる。
【００７２】
（実施の形態４）
上記実施の形態１〜３では、クライアント装置５０による各電気機器の電源の制御が、画像処理装置を介して行なわれる場合を説明した。実施の形態４では、クライアント装置５０による各電気機器の電源の制御が、画像処理装置を介さずに行なわれる場合の電力管理処理について説明する。
【００７３】
［実施の形態４に係る機能構成］
図１４を用いて、実施の形態４に係る画像処理装置及び電源制御装置の機能について説明する。図１４は、実施の形態４に係る画像処理装置及び電源制御装置の機能構成の例を示す図である。実施の形態４では、実施の形態１と同様の構成については同一の符号を付し、同様の構成については詳細な説明を省略する場合がある。具体的には、以下に示す設定反映部２８０ｃ以外の機能及び構成、処理は実施の形態１と同様である。
【００７４】
図１４に示すように、画像処理装置１ｃの操作部２０ｃは、通信部２１０と、操作表示部２２０と、取得部２３０と、指示部２４０と、設定部２５０と、指示無効部２６０と、設定反映部２８０ｃとを有する。
【００７５】
設定反映部２８０ｃは、通信部２１０を介して、電源の遮断に関する設定を反映するように電源制御装置３０に指示する。より具体的には、設定反映部２８０ｃは、設定部２５０によって設定された電源の遮断に関する設定をメモリから取得する。そして、設定反映部２８０ｃは、通信部２１０を介して、取得した設定を電源制御装置３０に指示し、指示対象の電源の遮断に関する設定を反映させる。これにより、電源制御装置３０は、各電源に対して設定を反映する。
【００７６】
［実施の形態４に係る電力管理処理フロー］
次に、図１５を用いて、実施の形態４に係る電力管理処理の流れについて説明する。図１５は、実施の形態４に係る電力管理処理の流れの例を示すフローチャートである。なお、実施の形態１に係る電力管理処理の流れと同様のステップについては、説明を省略する。具体的には、ステップＳ４０１及びステップＳ４０２は、ステップＳ１０１及びステップＳ１０２における処理と同様である。また、ステップＳ４０４〜ステップＳ４０９は、ステップＳ１０３〜ステップＳ１０８における処理と同様である。
【００７７】
図１５に示すように、設定反映部２８０ｃは、設定部２５０によって設定された電源の遮断に関する設定をメモリから取得し、通信部２１０を介して、取得した設定を電源制御装置３０に指示し、指示対象の電源の遮断に関する設定を反映させる（ステップＳ４０３）。
【００７８】
［実施の形態４による効果］
画像処理装置１ｃは、電源の遮断に関する設定を電源側に設定するので、自装置とは異なる装置からも電源の制御が可能である場合であっても、電力の供給を断つことが好ましくない機器の電源を誤って遮断しないようにすることができる。
【００７９】
（実施の形態５）
さて、これまで本発明に係る画像処理装置１、画像処理装置１ａ、画像処理装置１ｂ、画像処理装置１ｃの実施の形態について説明したが、上述した実施の形態以外にも種々の異なる形態にて実施されて良いものである。そこで、（１）構成、（２）プログラム、について異なる実施の形態を説明する。
【００８０】
（１）構成
上記文書中や図面中等で示した処理手順、制御手順、具体的名称、各種のデータやパラメタ等を含む情報は、特記する場合を除いて任意に変更することができる。また、図示した装置の各構成要素は、機能概念的なものであり、必ずしも物理的に図示の如く構成されていることを要しない。すなわち、装置の分散又は統合の具体的形態は、図示のものに限られず、その全部又は一部を各種の負担や使用状況等に応じて、任意の単位で機能的又は物理的に、分散又は統合することができる。例えば、実施の形態２や３において、一定期間は、上記の例に限られるものではない。
【００８１】
（２）プログラム
また、操作部２０としての情報処理装置で実行される電力管理プログラムは、一つの様態として、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。また、操作部２０で実行される電力管理プログラムを、インターネット等のネットワークに接続されたコンピュータ上に格納し、ネットワーク経由でダウンロードさせることにより提供するようにしても良い。また、操作部２０で実行される電力管理プログラムをインターネット等のネットワーク経由で提供又は配布するように構成しても良い。また、電力管理プログラムを、ＲＯＭ等に予め組み込んで提供するように構成しても良い。
【００８２】
操作部２０で実行される電力管理プログラムは、上述した各部（指示部２４０、設定部２５０、指示無効部２６０）を含むモジュール構成となっており、実際のハードウェアとしてはＣＰＵ（プロセッサ）が記憶媒体から電力管理プログラムを読み出して実行することにより、上記各部が主記憶装置上にロードされ、指示部２４０、設定部２５０、指示無効部２６０が主記憶装置上に生成されるようになっている。
【符号の説明】
【００８３】
１  画像処理装置
１０  本体
２０  操作部
２１０  通信部
２２０  操作表示部
２３０  取得部
２４０  指示部
２５０  設定部
２６０  指示無効部
３０  電源制御装置
３１０  通信部
３２０  電源制御部
４０  ネットワーク
【先行技術文献】
【特許文献】
【００８４】
【特許文献１】特開平０９−０８４１４６号公報
【図１】
2014240900.tif 000003
【図２】
2014240900.tif 000004
【図３】
2014240900.tif 000005
【図４】
2014240900.tif 000006
【図５】
2014240900.tif 000007
【図６】
2014240900.tif 000008
【図７】
2014240900.tif 000009
【図８】
2014240900.tif 000010
【図９】
2014240900.tif 000011
【図１０】
2014240900.tif 000012
【図１１】
2014240900.tif 000013
【図１２】
2014240900.tif 000014
【図１３】
2014240900.tif 000015
【図１４】
2014240900.tif 000016
【図１５】
2014240900.tif 000017